(57)【要約】【課題】蛍光ランプ等に用いられるランプ口金において、ランプがランプソケットに対して正常に取り付けられていることを容易に識別可能とする。【解決手段】蛍光管１１の側面にランプ口金１２が取り付けられてなる蛍光ランプ１０において、ランプ口金１２の口金本体１３の両側面を、それぞれ外方に向けて突出した突起部１３ａと、突起部１３ａより上方に位置する上側面部１３ｂと、突起部１３ａより下方に位置する下側面部１３ｃとを備え、両側面の下側面部１３ｃ間の幅Ｌ１が、両側面の上側面部１３ｂ間の幅Ｌ２よりも狭くなるように形成し、口金本体１３の下側面部１３ｃ間がブラケット３１の保持部３１ａにより保持されている場合（取付不良時）に、ブラケット３１からランプ口金１２が容易に外れるようにする。【選択図】          図２
2004363029.tif 000002
【特許請求の範囲】
【請求項１】
口金本体と該口金本体の下面から突出したランプピンとを備えてなり、それぞれが内方に向けて突出した突起状の保持部を有する互いに対向した一対のブラケットを備えたランプソケットに対して、前記口金本体が前記一対のブラケット間に挿入されるとともに、前記ランプピンがランプソケット内に挿入されるランプ口金であって、
前記口金本体の前記ブラケットと対向する両側面が、それぞれ外方に向けて突出した突起部と、該突起部より上方に位置する上側面部と、該突起部より下方に位置する下側面部とを備え、
前記両側面の前記下側面部間の幅が、前記両側面の前記上側面部間の幅よりも狭くなるように形成されていることを特徴とするランプ口金。
【請求項２】
前記ブラケットの保持部が前記下側面部に対向している状態においては、前記ランプピンと前記ランプソケットが備えるソケット電極とが接触しないように構成されていることを特徴とする請求項１記載のランプ口金。
【請求項３】
前記口金本体の両側面の前記突起部から前記上側面部に渡る領域に、前記突起部が前記ブラケットの保持部を乗り越えた状態で、前記ブラケットにより覆われる識別部が設けられていることを特徴とする請求項１または２記載のランプ口金。
【請求項４】
前記下側面部と前記突起部との連結部において、前記下側面部の垂線と前記突起部により形成される角度が３０°〜６０°であることを特徴とする請求項１〜３のいずれか１項記載のランプ口金。
【発明の詳細な説明】
【０００１】
【発明の属する技術分野】
本発明は蛍光ランプ等に用いられるランプ口金に関し、特に口金本体の構成に関するものである。
【０００２】
【従来の技術】
従来より、特許文献１に記載されているように、複数の蛍光ランプを直線的に連続配置する際に蛍光ランプの非発光部を無くすべく、蛍光管の側面にランプピンを設けた蛍光ランプが提案されている。また、上記蛍光ランプに対応したランプソケットも併せて提案されている。
【０００３】
上記ランプソケットに蛍光ランプを正常に取り付けた際の前面図を図５（Ａ）に示す。
【０００４】
蛍光ランプ４０は、蛍光管４１の側面にランプ口金４２が取り付けられてなり、このランプ口金４２の口金本体４３の下面には２本のランプピン４４が設けられている。
【０００５】
ランプソケット５０は、ケース本体５１と底板５２とからなるソケットケース内に、２つのソケット電極５３を収容している。
【０００６】
また底板５２の底面には、それぞれが内方に向けて突出した突起状の保持部６１ａを有する互いに対向した一対のブラケット６１が一体的に形成された保持部材６０が固着されており、蛍光ランプ５０の口金本体４３がブラケット６１間に挿入された際に、蛍光ランプ５０の口金本体４３の両側面を保持部６１ａにより挟んで保持するように構成されている。
【０００７】
【特許文献１】
特開２００１−２１０１３５号公報
【０００８】
【発明が解決しようとする課題】
ところで、上述のような蛍光ランプ４０およびランプソケット５０においては、図５（Ｂ）に示すように、蛍光ランプ４０をランプソケット５０に取り付ける際に、口金本体４３の両側面に形成された突起部４３ａが、保持部材６０の保持部６１ａを乗り越えていない状態で、蛍光ランプ４０の口金本体４３の両側面が保持部６１ａにより挟まれて保持されている場合、取付後に蛍光ランプ４０に衝撃や振動等が加わらなければ、保持部材６０から蛍光ランプ４０が外れないため、正常に取り付けられていると誤認される虞があり、このような状態で蛍光ランプ４０に衝撃や振動等が加わった場合には、蛍光ランプ４０が落下する虞があるという問題があった。
【０００９】
本発明は上記問題に鑑みてなされたものであり、蛍光ランプ等に用いられるランプ口金において、ランプがランプソケットに対して正常に取り付けられていることを容易に識別可能なランプ口金を提供することを目的とするものである。
【００１０】
【課題を解決するための手段】
本発明によるランプ口金は、口金本体と口金本体の下面から突出したランプピンとを備えてなり、それぞれが内方に向けて突出した突起状の保持部を有する互いに対向した一対のブラケットを備えたランプソケットに対して、口金本体が一対のブラケット間に挿入されるとともに、ランプピンがランプソケット内に挿入されるランプ口金であって、口金本体のブラケットと対向する両側面が、それぞれ外方に向けて突出した突起部と、突起部より上方に位置する上側面部と、突起部より下方に位置する下側面部とを備え、両側面の下側面部間の幅が、両側面の上側面部間の幅よりも狭くなるように形成されていることを特徴とするものである。
【００１１】
本発明において「下方」とは、ランプソケットの設置状態に関わらず、ランプピンの挿入方向前方を意味し、「上方」とは、ランプピンの挿入方向後方を意味する。
【００１２】
本発明によるランプ口金は、ブラケットの保持部が下側面部に対向している状態においては、ランプピンとランプソケットが備えるソケット電極とが接触しないように構成されていることが好ましい。
【００１３】
また、口金本体の両側面の突起部から上側面部に渡る領域に、突起部がブラケットの保持部を乗り越えた状態で、ブラケットにより覆われる識別部が設けられていることが好ましい。ここで「乗り越えた」とは、ランプピンをランプソケットに挿入する方向にランプ口金を移動した際のことを意味する。この識別部は、突起部から上側面部に渡る領域内に設けられていればよく、突起部および上側面部の両方に設けてもよいし、突起部または上側面部のいずれか一方のみに設けてもよい、この識別部としては、例えば、口金本体と異なる色のシールを貼付してもよいし、口金本体と異なる色で塗装してもよい。
【００１４】
さらに、下側面部と突起部との連結部において、下側面部の垂線と突起部により形成される角度は３０°〜６０°とすることが好ましい。
【００１５】
【発明の効果】
本発明によるランプ口金においては、口金本体のブラケットと対向する両側面に形成された突起部より下方に位置する下側面部間の幅を、突起部より上方に位置する上側面部間の幅よりも狭くなるように形成することにより、突起部がブラケットの保持部を乗り越えていない状態で、口金本体が保持部により保持されている場合、すなわち、口金本体の下側面部間が保持部により保持されている場合には、下側面部間の幅が狭いため保持部による保持力が弱く、ブラケットからランプ口金が容易に外れるため、ランプ口金を備えたランプがランプソケットに対して正常に取り付けられているか容易に識別可能である。
【００１６】
【発明の実施の形態】
以下、本発明の具体的な実施の形態について図面を用いて説明する。図１は本発明の一実施の形態によるランプ口金を備えた蛍光ランプ、およびこの蛍光ランプに対応したランプソケットの斜視図、図２は上記蛍光ランプおよびランプソケットの前面図、図３（Ａ）はランプ口金に形成された突起部がランプソケットの備えるブラケットの保持部を乗り越えていない状態の上記蛍光ランプおよびランプソケットの前面図、図３（Ｂ）は上記突起部が上記保持部を乗り越えた状態の上記蛍光ランプおよびランプソケットの前面図である。
【００１７】
蛍光ランプ１０は、蛍光管１１の側面にＪＩＳの定めるＧ５口金に対応したランプ口金１２が取り付けられてなり、このランプ口金１２の口金本体１３の下面には２本のランプピン１４が設けられている。
【００１８】
口金本体１３の両側面は、それぞれ外方に向けて突出した突起部１３ａと、突起部１３ａより上方に位置する上側面部１３ｂと、突起部１３ａより下方に位置する下側面部１３ｃとを備え、両側面の下側面部１３ｃ間の幅Ｌ１が、両側面の上側面部１３ｂ間の幅Ｌ２よりも狭くなるように形成されている。
【００１９】
また、上記蛍光ランプ１０に対応したランプソケット２０は、ケース本体２１と底板２２とからなるソケットケース内に、２つのソケット電極２３を収容している。
【００２０】
また底板２２の底面には、それぞれが内方に向けて突出した突起状の保持部３１ａを有する互いに対向した一対のブラケット３１が一体的に形成された保持部材３０が固着されており、蛍光ランプ１０の口金本体１３がブラケット３１間に挿入された際に、蛍光ランプ１０の口金本体１３の両側面を保持部３１ａにより挟んで保持するように構成されている。
【００２１】
上記のように構成された蛍光ランプ１０においては、両側面の下側面部１３ｃ間の幅Ｌ１が、両側面の上側面部１３ｂ間の幅Ｌ２よりも狭くなるように形成されているため、突起部１３ａがブラケット３１の保持部３１ａを乗り越えていない状態で、口金本体１３が保持部３１ａにより保持されている場合、すなわち、口金本体１３の下側面部１３ｃ間が保持部３１ａにより保持されている場合には、下側面部１３ｃ間の幅が狭いため保持部３１ａによる保持力が弱く、もしくは保持力が発生せず、ブラケット３１からランプ口金１２が容易に外れるため、ランプ口金１２を備えた蛍光ランプ１０がランプソケット２０に対して正常に取り付けられているか容易に識別することができる。
【００２２】
なお、口金本体１３の両側面の下側面部１３ｃ間の幅Ｌ１は、保持部材３０の保持部３１ａ間の幅Ｌ３と略同寸かそれ以下とすることが好ましい。これにより、特に蛍光ランプ１０の蛍光管１１が下向きに取り付けられる場合に、取付不良時には蛍光ランプ１０（ランプ口金１２）がブラケット３１に保持されずに落下するため、正常に取り付けられているか容易に識別することができる。
【００２３】
また、図３（Ａ）に示すように、ブラケット３１の保持部３１ａの内方先端が下側面部１３ｃに対向している状態においては、ランプピン１４とランプソケット２０が備えるソケット電極２３とが接触せず、蛍光ランプ１０が点灯しないように構成されているため、蛍光ランプ１０がランプソケット２０に対して正常に取り付けられているか容易に識別することができる。
【００２４】
なお、ブラケット３１の保持部３１ａの内方先端が突起部１３ａを完全に乗り越えるまで、ランプピン１４とランプソケット２０が備えるソケット電極２３とが接触しないように構成すればより好ましい。
【００２５】
また、口金本体１３の両側面の突起部１３ａから上側面部１３ｂに渡る領域には、口金本体１３と異なる色で塗装された識別部１５が設けられている。この識別部１５は、突起部１３ａの最頂点ｔから、上側面部１３ｂの突起部１３ａと上側面部１３ｂとの連結部から１．５ｍｍまでの範囲に渡って設けられており、図３（Ａ）に示すように、突起部１３ａがブラケット３１の保持部３１ａを乗り越えていない状態においては外部から容易に視認でき、図３（Ｂ）に示すように、突起部１３ａがブラケット３１の保持部３１ａを乗り越えた状態においてはブラケット３１により覆われて外部から視認できないようになっている。このような識別部１５を設けることにより、蛍光ランプ１０がランプソケット２０に対して正常に取り付けられているか容易に識別することができる。なお、識別部１５を設ける範囲については、必ずしも上記に限定されるものではない。
【００２６】
また、上記ランプ口金１２においては、下側面部１３ｃと突起部１３ａとの連結部において、下側面部１３ｃの垂線と突起部１３ａにより形成される角度θ１は、図４（Ａ）に示すようにθ１＝０°から、図４（Ｂ）に示すようにθ１＝８５°の範囲で構成することができる。なお、図４（Ｂ）に示す態様では、下側面部１３ｃ´の高さは、実質的に０となっている。この角度θ１は大きくする程、口金本体１３をブラケット３１間に挿入する際の力が少なくて済むため挿入し易くなるが、挿入方向に対して左右に振れ易くなるため取付不良を発生させる虞がある。そのため、上記角度θ１は３０°〜６０°とすることが好ましい。本実施の形態では角度θ１は４５°としている。
【００２７】
さらに、上記角度θ１と保持部３１ａの先端部の角度θ２とを略等しくすることにより、ランプ口金１２を保持部材３０の両端の保持部３１ａ間に挿入した際にランプピン１４が挿入方向に対して自然に平行となるため、取付不良を防止することができる。
【００２８】
上記実施の形態ではランプ口金はＪＩＳの定めるＧ５口金に対応したものとして説明したが、本発明によるランプ口金は必ずしも上記に限定されるものではない。また、ランプ口金を備えるランプについても、上記実施の形態において説明した蛍光ランプに限定されるものではなく、例えば白熱ランプに取り付けてもよいし、また取付場所もランプ管の側面以外の場所に取り付けてもよい。
【図面の簡単な説明】
【図１】本発明の一実施の形態のランプ口金を備えた蛍光ランプおよびこの蛍光ランプに対応したランプソケットの斜視図
【図２】上記蛍光ランプおよびランプソケットの前面図
【図３】ランプ口金に形成された突起部がランプソケットの備えるブラケットの保持部を乗り越えていない状態の上記蛍光ランプおよびランプソケットの前面図（Ａ）、上記突起部が上記保持部を乗り越えた状態の上記蛍光ランプおよびランプソケットの前面図（Ｂ）
【図４】上記蛍光ランプと異なる態様の前面図
【図５】従来のランプソケットおよび蛍光ランプの前面図
【符号の説明】
１０、４０    蛍光ランプ
１１、４１    蛍光管
１２、４２    ランプ口金
１３、４３    口金本体
１４、４４    ランプピン
２０、５０    ランプソケット
２１、５１    ケース本体
２２、５２    底板
２３、５３    ソケット電極
３０、６０    保持部材
【図１】
2004363029.tif 000003
【図２】
2004363029.tif 000004
【図３】
2004363029.tif 000005
【図４】
2004363029.tif 000006
【図５】
2004363029.tif 000007